(57)【要約】【課題】前後方向及び上下方向の所謂ガタ付をなくして車載用機器をホルダに装着固定できる車載用機器の取付構造を提供する。【解決手段】車載用機器本体の両側面に先端部から後端近傍に至りホルダ２のスライドレールに対応して一定の溝幅に形成されたスライド部９と、同スライド部９に連続して形成され後方に上下に拡開するように形成された拡開部１０とからなるスライド溝８を形成するとともに、同スライド溝８内に掛止部と押圧片とを形成し、ホルダ２の右側スライドレール１６ａ及び左側スライドレール１６ｂとに、前記掛止部が掛止する掛止斜面を形成するとともに後端部に前記押圧片により押圧される可撓部を設ける。【選択図】  図１
2004155291.tif 000002
【特許請求の範囲】
【請求項１】
車載用機器本体の両側面に、掛止部と押圧片とを備え後面に連なるスライド溝を形成し、前記車載用機器を装着固定するホルダを、底板と、同底板の両側端から上方に折曲された右側板及び左側板と、これらの上端から相対向するように内側に折曲され、前記スライド溝に挿入される右側スライドレール及び左側スライドレールとで形成する一方、これらスライドレールの周縁に前記掛止部が掛止する掛止斜面を形成するとともに、後端部に前記押圧片により前記スライド溝の上端面に押圧される可撓部を設けてなることを特徴とする車載用機器の取付構造。
【請求項２】
前記スライド溝が、溝幅一定のスライド部と、同スライド部に連続して形成され後方に向かい上下に拡開する拡開部とから形成されてなることを特徴とする請求項１に記載の車載用機器の取付構造
【請求項３】
前記掛止部が、前記スライド部と前記拡開部との接続部に一段内部に落込むように形成された斜面からなることを特徴とする請求項１又は請求項２に記載の車載用機器の取付構造。
【請求項４】
前記可撓部が、前記右側板と前記右側スライドレール及び前記左側板と前記左側スライドレールとの先端部後端に形成された切欠きにより上下に可撓するように設けられてなることを特徴とする請求項１に記載の車載用機器の取付構造。
【請求項５】
前記押圧片が、前記拡開部を構成する下方に傾斜した下端面の後端部に、略台形状に形成されてなることを特徴とする請求項１又は請求項２に記載の車載用機器の取付構造。
【請求項６】
前記車載用機器本体の右側面前部に係止ピンを突設し、前記ホルダの右側板に、同右側板に固着された支軸により上下動自在に軸支され、上部に爪部を形成した可動爪を設け、同可動爪の爪部を前記係止ピンに係止することにより、前記車載用機器を前記ホルダに固定してなることを特徴とする請求項１に記載の車載用機器の取付構造。
【請求項７】
前記可動爪が、同可動爪の後端部と前記底板との間に設けられたスプリングにより、先端部が上方に向かうように付勢されるとともに、同可動爪の先端部に手指により操作を行うことができる操作レバーを形成してなることを特徴とする請求項１又は請求項６に記載の車載用機器の取付構造。
【発明の詳細な説明】
【０００１】
【発明の属する技術分野】
本発明は、車載用機器の取付構造に関わり、より詳細には、車内に取付けられたホルダに車載用機器を着脱自在に装着できるとともに、所謂ガタ付がなく固定できるようにした構成に関する。
【０００２】
【従来の技術】
無線機あるいはオーディオ機器等の所謂車載用機器を車内に着脱自在に設けた例として、例えば特開平４−２０３５１４号に開示されているような構成がある。上記公開公報に提示されている構成は、図５で示すように、車内のダッシュボード３０に穿設された矩形状の取付孔３０ａに、前面が開放され方形状に形成された取付筒３２を装着固定し、同取付筒３２内に車載用機器３１を着脱自在に装着するようになっている。（特許文献１）
【０００３】
前記取付筒３２の開放された前面周縁には、上下及び左右に折曲されたフランジが形成され、上板及び底板の前部にはフランジを基端として後方に延びる係止片３４を形成した嵌込孔３３が穿設されている。複数の前記係止片３４の両側は鋸歯状に形成され、前記取付筒３２が前記取付孔３０ａに挿入された後、断面矩形状の挿通孔を穿設した取付片３５が前記係止片３４に挿入されこれに噛み合うことにより、前記取付筒３２がダッシュボード３０に固定され、また前記車載用機器３１が装着された際、前記取付片３５がこれを上下から挟持して容易に抜脱されないようにしている。
【０００４】
しかしながら、前記車載用機器３１が前記取付筒３２に装着されると、前記取付片３５がこれを挟持しているだけであり、前記車載用機器３１と前記取付筒３２との間に所謂ガタ付が生じ振動を発生させたり、あるいは衝撃力により抜脱する恐れがあった。
【０００５】
【特許文献１】
特開平４−２０３５１４号
【０００６】
【発明が解決しようとする課題】
本発明は上記問題点に鑑み、車載用機器とこれを保持するホルダとの間に所謂ガタ付が生じないようにして振動の発生等を防止できる一方、ホルダに車載用機器を容易に挿抜できるようにした車載用機器の取付構造を提供することを目的とする。
【０００７】
【課題を解決するための手段】
本発明は上記課題を解決するため、車載用機器本体の両側面に、掛止部と押圧片とを備え後面に連なるスライド溝を形成し、前記車載用機器を装着固定するホルダを、底板と、同底板の両側端から上方に折曲された右側板及び左側板と、これらの上端から相対向するように内側に折曲され、前記スライド溝に挿入される右側スライドレール及び左側スライドレールとで形成する一方、これらスライドレールの周縁に前記掛止部が掛止する掛止斜面を形成するとともに、後端部に前記押圧片により前記スライド溝の上端面に押圧される可撓部を設けてなる構成となっている。
【０００８】
また、前記スライド溝が、溝幅一定のスライド部と、同スライド部に連続して形成され後方に向かい上下に拡開する拡開部とから形成されてなる構成となっている。
【０００９】
また、前記掛止部が、前記スライド部と前記拡開部との接続部に一段内部に落込むように形成された斜面からなる構成となっている。
【００１０】
また、前記可撓部が、前記右側板と前記右側スライドレール及び前記左側板と前記左側スライドレールとの先端部後端に形成された切欠きにより上下に可撓するように設けられてなる構成となっている。
【００１１】
また、前記押圧片が、前記拡開部を構成する下方に傾斜した下端面の後端部に、略台形状に形成されてなる構成となっている。
【００１２】
また、前記車載用機器本体の右側面前部に係止ピンを突設し、前記ホルダの右側板に、同右側板に固着された支軸により上下動自在に軸支され、上部に爪部を形成した可動爪を設け、同可動爪の爪部を前記係止ピンに係止することにより、前記車載用機器を前記ホルダに固定してなる構成となっている。
【００１３】
また、前記可動爪が、同可動爪の後端部と前記底板との間に設けられたスプリングにより、先端部が上方に向かうように付勢されるとともに、同可動爪の先端部に手指により操作を行うことができる操作レバーを形成してなる構成となっている。
【００１４】
【発明の実施の形態】
以下、本発明の実施の形態を、添付図面に基づいた実施例として詳細に説明する。
図１は本発明による車載用機器の取付構造を示す分解斜視図である。図２は車載用機器の本体を示す斜視図であり、図３は同車載用機器が装着されるホルダを示す斜視図である。また図４は装着された状態を示す側面図である。
図１で示すように、車載用機器１は、板金あるいは樹脂材からなり電子部品を搭載した制御基板等を複数内部に組み込んだ方形状の後部パネル３と、操作用ノブ５と液晶による表示部６等を備え前記後部パネル３の前面に装着される前面パネル４とで本体を構成している。同本体の右側面前部には円柱状に形成された係止ピン７が突設され、その後方にはスライド溝８が形成されている。板金からなり前記車載用機器１が装着されるホルダ２は、断面略Ｃ字状に形成され、車内のダッシュボードの下面あるいは内部に螺子止めにより固定されるようになっている。
【００１５】
図２で示す前記車載用機器１は上記したように、本体の右側面前部に係止ピン７を突設し、これの後方にスライド溝８を形成している。同スライド溝８は先端部から後端近傍に至り後述するホルダのスライドレールに対応して一定の溝幅に形成されたスライド部９と、同スライド９に連続して形成され本体の後方に上下に拡開するように形成された拡開部１０とからなっている。前記スライド部９と前記拡開部１０との接続部には一段内部に落込むように斜面が形成され、同斜面は後述するホルダの掛止斜面１７ａにより掛止される掛止部１２となっており、また前記拡開部１０を上端面１１ａとともに構成する下方に傾斜する下端面１１ｂの後端部には、略台形状に形成された押圧片１３が形成されている。これらスライド溝及び拡開部は前記した係止ピン７を除き同車載用機器１の左側面にも同様に形成されている。
【００１６】
前記ホルダ２は、図３で示すように、複数の通気孔１４ａを穿設した底板１４と、同底板１４の両側端から上方に折曲された右側板１５ａ及び左側板１５ｂと、同右側板１５ａ及び左側板１５ｂの上端から相対向するように内側に折曲された右側スライドレール１６ａ及び左側スライドレール１６ｂとからなり、これらスライドレールの内周縁には切欠きによる掛止斜面１７ａ及び１７ｂが形成され、同掛止斜面１７ａ及び１７ｂに車載用機器１の前記掛止部１２が上記したように掛止されるようになっている。
【００１７】
前記右側板１５ａと前記右側スライドレール１６ａ及び前記左側板１５ｂと前記左側スライドレール１６ｂの接続部後端には切欠き１９ａ及び１９ｂが形成され、これにより前記右側スライドレール１６ａの後端部には上下に可撓できる可撓部１８ａが設けられ、同様に前記左側スライドレール１６ｂの後端部にも可撓部１８ｂが設けられている。また、前記右側板１５ａの前縁からは上部に爪部を形成し、前記車載用機器１に突設された前記係止ピン７に対応する可動爪２０が突設され、同可動爪２０は前記右側板１５ａの前部に固着された支軸２０ａにより上下動自在に軸支されるとともに、同可動爪２０の後端部と前記底板１４との間に設けられたスプリング２０ｃにより、先端部が上方に向かうように付勢されている。また、同可動爪２０の先端部には断面逆Ｌ字状に形成され、手指により操作を行うことができる操作レバー２０ｂが形成されている。
【００１８】
次に、動作について説明する。前記車載用機器１を前記ホルダ２に装着する際は、まず、前記車載用機器１の両側面後端に形成された前記拡開部１０に前記右側スライドレール１６ａと前記左側スライドレール１６ｂの先端部を挿入させ、続いて前記スライド部９に沿ってスライドさせながら奥部まで押し込む。上下に拡開された前記拡開部１０にスライドレールを挿入させることにより使用者は容易にこの作業を行えるようになっている。図４で示すように、前記可動爪２０が前記スプリング２０ｃの付勢力により前記係止ピン７に係止すると前記車載用機器１は前面に飛出さないように前記ホルダ２に固定されるようになっている。
【００１９】
図４で示すように、前記可動爪２０が前記係止ピン７に係止した状態では、前記掛止部１２が前記掛止斜面１７ａ及び１７ｂに掛止され、これにより前記車載用機器１と前記ホルダ２との間に前後のガタ付を生じさせないようになっている。また、前記右側スライドレール１６ａ及び左側スライドレール１６ｂとの後端部に形成された前記可撓部１８ａ及び前記可撓部１８ｂが、前記車載用機器１の後端に形成された前記押圧片１３に押圧されて上方に撓み、これにより拡大図で示すように、これらの後端縁が拡開部１０の前記上端面１１ａに圧接され、前記車載用機器１と前記ホルダ２とに所謂上下のガタ付を生じさせないようにしている。前後方向と上下方向との所謂ガタ付を併せて防止することにより振動及び騒音の発生を抑制できるようになっている。尚、前記操作レバー２０ｂを押し下げ前記可動爪２０を前記係止ピン７から外すことにより、前記車載用機器１は容易に前面側に抜脱することができるようになっている。
【００２０】
上記したように、前記車載用機器１を所謂ガタ付がなく前記ホルダ２に装着固定できることにより、振動の発生及び振動の発生による騒音等を防止でき、また挿抜の容易な車載用機器の取付構造となっている。
【００２１】
【発明の効果】
以上説明したように、本発明によると、車載用機器本体の両側面に、後端近傍に至りホルダのスライドレールに対応して一定の幅に形成されたスライド部と、同スライド部に連続して形成され後方に上下に拡開するように形成された拡開部とからなるスライド溝を形成するとともに、同スライド溝内に掛止部と押圧片とを形成し、前記車載用機器を装着固定するホルダを、底板と、同底板の両側端から上方に折曲された右側板及び左側板と、これらの上端から相対向するように内側に折曲された右側スライドレール及び左側スライドレールとで形成し、これらスライドレールの内周縁に前記掛止部が掛止する掛止斜面を形成するとともに、前記スライドレールの後端部に前記押圧片により押圧される可撓部を設けることにより、前記車載用機器を所謂ガタ付がなく前記ホルダに装着固定でき、振動の発生及び振動の発生による騒音等を防止できる車載用機器の取付構造とすることができる。
【図面の簡単な説明】
【図１】本発明による車載用機器の取付構造を示す斜視図である。
【図２】（Ａ）は車載用機器本体の側面部を示す斜視図である。
（Ｂ）はその要部斜視図である。
【図３】ホルダを示す斜視図である。
【図４】車載用機器がホルダに装着された状態を示す側面図である。
【図５】従来例による車載用機器の取付構造の一例を示す分解斜視図である。
【符号の説明】
１  車載用機器
２  ホルダ
３  後部パネル
４  前面パネル
５  操作用ノブ
６  表示部
７  係止ピン
８  スライド溝
９  スライド部
１０  拡開部
１１ａ  上端面
１１ｂ  下端面
１２  掛止部
１３  押圧片
１４  底板
１４ａ  通気孔
１５ａ  右側板
１５ｂ  左側板
１６ａ  右側スライドレール
１６ｂ  左側スライドレール
１７ａ  掛止斜面
１７ｂ  掛止斜面
１８ａ  可撓部
１８ｂ  可撓部
１９ａ  切欠き
１９ｂ  切欠き
２０  可動爪
２０ａ  支軸
２０ｂ  操作レバー
２０ｃ  スプリング
【図１】
2004155291.tif 000003
【図２】
2004155291.tif 000004
【図３】
2004155291.tif 000005
【図４】
2004155291.tif 000006
【図５】
2004155291.tif 000007